(57)【要約】【課題】  帰化植物や迷惑雑草が優占している草地の植生を置換する場合、表土を剥ぎ取ることや、植栽した植物が優占するまで養生するなど多大なコストを必要としていた。これらを解決し低コストで草地の植生を置換する技術を開発することが課題である。【解決手段】  既存の草地をマット、シートで覆い、排除しようとする草種が生育できない環境にし、同時に、マット、シートで覆った部分に置換しようとする草種だけが生育できるような植栽方法を開発することで解決しようとした。  【選択図】      図３
2006129705.tif 000002
【特許請求の範囲】
【請求項１】
既存の草地を特定多年草を用い、他の草地に置換する工程において、草地を刈り取り除草後、マット、シートで覆い、敷設されたマット、シートに切込みを入れ、特定多年草が生育していない箇所に特定多年草を１種以上植栽することを特徴とする植生変換方法。
【請求項２】
請求項１の特定多年草はイネ科、カヤツリグサ科、ガマ科、イグサ科の多年草であることを特徴とする。
【請求項３】
変換しようとする草地には、排除しようとする種と残そうとする種が混在している。これらの草地を刈り取り除草前に、植生把握を実施し排除しようとする種と残そうとする種にマーキングを施すことを特徴とする方法。
【請求項４】
マット、シートに切込みを入れず、残そうとする種を生育させる方法。
【発明の詳細な説明】
【技術分野】
【０００１】
本発明はマット、シートを用い既存雑草を抑制し、特定多年草を導入し、その特定多年草が優占する草地に変換するためのものである。
【背景技術】
【０００２】
従来の技術では、在来の生態系を犯す、セイタカアワダチソウ、ブタクサ、アレチハナガサ、アレチウリ、セイバンモロコシ、シナダレスズメガヤ、メリケンカルカヤ、シマスズメノヒエ、タチスズメノヒエ、ネズミムギなどの帰化植物が優占した既存の草地や、クズ、ヤブガラシなどの迷惑雑草が繁茂する既存の草地を、他の種が優占する草地に転換する場合、特定多年草を植栽しても既存の優占種に抑圧され、特定多年草を養生するのに多大な労力を必要としていた。
【０００３】
そこで表土ごと剥ぎ取るか、強力な除草剤で除草（根系、埋土種子も除去する）し、その後に置換したい種を植栽、もしくは播種することもなされたが、やはり多大なコストを必要としていた。また、環境に多大な負荷をあたえていた。
【０００４】
そこで発明者は変換しようとする既存の草地に優占している種を抑えることが可能で、かつ、マット、シートを敷設することや、マット、シートの敷設方法のくふうで、特定多年草を導入し、導入した特定多年草が優占する草地に低コストで変換する方法を提供し、特定多年草を用いて、帰化植物や迷惑雑草の繁茂を抑えようとした。
【発明の開示】
【発明が解決しようとする課題】
【０００５】
しかしながら従来の技術では既存の草地を他の種が優占する草地に転換する場合、除草後に特定多年草を植栽しても、すぐに再生してくる既存の優占種に日照を奪われるなどで抑圧され、特定多年草を養生するのに多大な労力を必要としていた。
【０００６】
そこで表土ごと剥ぎ取るか、強力な除草剤で除草（根系、埋土種子も除去する）し、その後に変換したい種を植栽、もしくは播種することもなされたが、やはり多大なコストを必要としていた。また、環境に多大な負荷をあたえていた。
【０００７】
そこで本発明は、低コストで  既存の草地（特に帰化種が優占する草地）を、他の種の優占する草地に変換する方法を提供し、特定多年草を用いて、特定多年草の特性を活用し、その力で帰化植物や迷惑雑草の繁茂を抑えようとすることを課題とするものである。
【課題を解決するための手段】
【０００８】
請求項１の発明にかかる方法は、既存の草地を特定多年草を用い、他の草地に置換する工程において、草地を刈り取り除草後、マット、シートで覆い、敷設されたマット、シートに切込みを入れ、特定多年草が生育していない箇所に特定多年草を１種以上植栽することを特徴とする植生変換方法である。
【０００９】
請求項２の発明にかかる請求項１の特定多年草は、チガヤ、オギ、ススキ、ヨシ、クサヨシ、ツルヨシ、マコモ、ササ類などのイネ科、ヒトモトススキ、マツカサススキ、アブラガヤ、ウキヤガラ、カンガレイ、サンカクイ、フトイ、カサスゲなどのカヤツリグサ科、ガマ、コガマなどのガマ科、イなどのイグサ科の多年草である。
【００１０】
請求項３の発明にかかる方法は、変換しようとする草地には、排除しようとする種と残そうとする種が混在している。これらの草地を刈り取り除草前に、植生把握を実施し排除しようとする種と残そうとする種にマーキングを施すことを特徴とする方法である。
【００１１】
請求項４の発明にかかる方法は、マット、シートに切込みを入れず、残そうとする種を生育させる方法である。
【発明の効果】
【００１２】
請求項１の発明にかかる方法は、既存の草地を特定多年草を用い、他の草地に置換する工程において、草地を刈り取り除草後、特願第２００３−３１２６６１の方法で防草シートで覆うことで、排除すべき種を生育させないことである。
【００１３】
次に、敷設されたマット、シートに切込みを入れ、特定多年草が生育していない箇所に特願第２００４−２８５６４３の方法で特定多年草を１種以上植栽することで、植栽された特定多年草だけを生育させるを特徴とする植生変換方法である。
【００１４】
請求項２の発明にかかる請求項１の特定多年草は、チガヤ、オギ、ススキ、ヨシ、クサヨシ、ツルヨシ、マコモ、ササ類などのイネ科、ヒトモトススキ、マツカサススキ、アブラガヤ、ウキヤガラ、カンガレイ、サンカクイ、フトイ、カサスゲなどのカヤツリグサ科、ガマ、コガマなどのガマ科、イなどのイグサ科の多年草であり、これらは被子植物単子葉類であるため、マット、シートを貫通しやすい。
【００１５】
請求項３の発明にかかる方法は、変換しようとする草地には、排除しようとする種と残そうとする種が混在している。これらの草地を刈り取り除草前に、植生把握を実施し排除しようとする種と残そうとする種にマーキングを施すことを特徴とする方法である。
【００１６】
変換しようとする草地には、使用する予定と同種の特定多年草が、皆無の場所、部分的に自生している場所、優占しているが除去することを対象にした種も多く生育している場所もある。また、排除すべき種がない部分に、特定多年草ではないが残すべき種が自生している場所もある。これらの草地を刈り取り除草前に、これらを識別できるようにマーキングを施すことを特徴とする方法である。
【００１７】
Ａ：特定多年草が自生していないが、排除すべき草種も自生していない場合、Ｂ：特定多年草は自生していないが、排除すべき草種は自生している場合、Ｃ：特定多年草が自生しているが、排除すべき草種は自生していない場合、Ｄ：特定多年草が自生しているが、排除すべき草種も自生している場合が想定される。
【００１８】
Ａの場合は、マット、シ−トを開放し、普通の植栽方法で、Ｂの場合は特願第２００４−２８５６４３の植栽方法で特定多年草を植栽する。Ｃの場合は植栽せず、マット、シートも開放する。Ｄの場合は植栽するならば原則として特願第２００４−２８５６４３の植栽方法で植栽するが、植栽しないで自生している特定多年草を活用することもある。
【００１９】
請求項４の発明にかかる方法は、マット、シートに切込みを入れず、残そうとする種を生育させる方法である。この方法は、Ｄの場合の植栽しないで自生している特定多年草を活用することや、植栽された地下茎を有する特定多年草の地下茎からの発芽を促進させるためのものである。
【００２０】
普通、敷設されたマット、シートの下で発芽しようとする場合、植物はマット、シートを持ち上げようとする。マット、シートに重しをのせると、マット、シートは強い力で接地するため持ち上げることができず、マット、シートを突き抜けようとする。
【００２１】
発芽が確認できる重しをマット、シート上に設置し、発芽後に重しを撤去する。排除すべき種も発芽する可能性があるが、その場合はそれを摘み取りマット、シートを少し持ち上げる。排除すべき種はマット、シート下におしこまれる。
【００２２】
こうすることで、特定多年草だけが自生している部分と、特定多年草と排除の必要がない草種が混在して生育している部分を創出することができる。
【発明を実施するための最良の形態】
【００２３】
以下、本発明の実施の形態について、セイタカアワダチソウが優占する群落に部分的に特定多年草としてイネ科植物のチガヤが部分的に生育している場合を例に、図面を参照しつつ実施の形態を説明する。
【００２４】
刈り取り除草の前に、チガヤが生育し部分的にセイタカアワダチソウが生育していない部分１、チガヤとセイタカアワダチソウが混在して生育している部分２、セイタカアワダチソウが優占する部分３、セイタカアワダチソウ、チガヤいずれも生育していない部分４を把握し、植生分布図を作成する。図１は置換しようとするセイタカアワダチソウ群落の植生分布図の概念図である。
【００２５】
次に、チガヤが生育し部分的にセイタカアワダチソウが生育していない部分１、チガヤとセイタカアワダチソウが混在して生育している部分２、セイタカアワダチソウが優占する部分３、セイタカアワダチソウ、チガヤいずれも生育していない部分４が識別できるようマーキングする。
【００２６】
この草地を刈り取り除草後、刈り取った草をまんべんなく敷き均す。このときマーキングした部分が隠れてしまうようであれば、再度マーキングをする。敷き均した草５の上にマット、シート６を敷設する。この敷き均した草５がマット、シート６を浮かせることになる。
【００２７】
マット、シート６に切込みを入れ、マーキングをもとに、チガヤが生育し部分的にセイタカアワダチソウが生育していない部分１はマット、シート６を開放し、自生しているチガヤを積極的に活用する。
【００２８】
セイタカアワダチソウが優占する部分３には特願第２００４−２８５６４３の植栽方法なる、図２で示したチガヤ苗７を植える。チガヤ苗７を植栽した状況を図３に示した。
【００２９】
セイタカアワダチソウ、チガヤいずれも生育していない部分４はマット、シート６を開放し、ごく普通のチガヤを植栽する。ただし、セイタカアワダチソウの地下茎が伸長してきている場合があり、この場合はマット、シート６を再度閉じて特願第２００４−２８５６４３の植栽方法なる、図２で示したチガヤ苗７を植えるか、セイタカアワダチソウの地下茎を除去して、ごく普通のチガヤを植栽し、除去しきれなかったセイタカアワダチソウはその後、抜根する。このような作業をするのは、この地に自生している在来の他の種を残したいがためである。
【００３０】
チガヤとセイタカアワダチソウが混在して生育している部分２は、マット、シート６を再度閉じて特願第２００４−２８５６４３の植栽方法なる、図２で示したチガヤ苗７を植える。自生してるチガヤを活用するなら、まず、敷き均した草５を撤去し、刈られた草を地際まで確実にきり戻し、不陸があれば目土を入れマット、シート６の切り口を修復する。図４で示したような鉄板製の補助具８（厚さ１ｃｍ、穴の直径０.５ｃｍ）をマット、シート６の上に置く。図５はこの状態を示した模式図である。
【００３１】
補助具８がない場合、発芽しようとするチガヤ、セイタカアワダチソウは防草シート６を持ち上げるので防草シート６を貫通できないが、補助具８でマット、シート６が抑えられているので持ち上げることができず、貫通しようとする。この場合貫通能力はチガヤのほうが強いのチガヤだけが貫通してくる可能性がある。セイタカアワダチソウも貫通してきた場合は、チガヤの葉が数枚になった時点で、補助具８を撤去し、セイタカアワダチソウを摘み取り、マット、シート６を持ち上げる。セイタカアワダチソウの先端はマット、シート６の中に押し込まれるがチガヤは押し込まれない。その後は貫通したチガヤだけが生長する。
【００３２】
自生していたチガヤと植栽したチガヤ、残された在来種だけが生長する。マット、シート６の下では、チガヤが順調に地下茎を伸長させる。翌春までには敷き均した草５は分解されているため、マット、シート６は接地しているため、この地下茎から発芽してくる。補助具８を使用すればさらに多くのチガヤが発芽してくる。
【００３３】
チガヤの通常の生育時期には数本の地下茎を５０ｃｍ以上伸長させるので植栽本数は４個／ｍ２で充分であるが、植栽時期が遅い場合や、生育密度を高くしたい場合はこの限りではない。
【００３４】
マット、シート６は撤去する必要があるが、早ければ翌春のチガヤ発芽時期である。ただしチガヤの立条数を増やしたほうが植生が安定するので２年後のチガヤ発芽時期が妥当である。マット、シート６が生分解性であれば放置でよい。
【００３５】
この形成されるチガヤ群落に導入したい在来種は特願第２００４−２８５６４３の方法で育成した苗であれば、チガヤ植栽時期から可能である。
【００３６】
本発明を実施するに際しては、マット、シート、これを浮かせる方法、発芽促進の補助具など、その他の部分の構成、形状、数量、材質、大きさ、接続関係等についても、上記各実施の形態に限定されるものではない。
【図面の簡単な説明】
【００３７】
【図１】植生分布図。
【図２】チガヤの苗の形状。
【図３】植栽された状況の模式図。
【図４】補助具。
【図５】補助具を使用した状況の模式図。
【符号の説明】
【００３８】
１  チガヤが生育し部分的にセイタカアワダチソウが生育していない部分。
２  チガヤとセイタカアワダチソウが混在して生育している部分。
３  セイタカアワダチソウが優占する部分。
４  セイタカアワダチソウ、チガヤいずれも生育していない部分。
５  敷き均した草。
６  マット
７  チガヤ苗
８  補助具
９  地面
１０葉
１１地下茎
１２葉が展開しはじめた地下茎
１３根系
【図１】
2006129705.tif 000003
【図２】
2006129705.tif 000004
【図３】
2006129705.tif 000005
【図４】
2006129705.tif 000006
【図５】
2006129705.tif 000007